(57)【特許請求の範囲】
【請求項１】
複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出する相対位置算出部と、
前記相対位置算出部により算出された各前記相対位置を所定の二次元位置座標上に表現した位置表現画像を作成する位置表現画像作成部と
を有し、
前記位置表現画像作成部は、前記一の色版における画像形成位置を共通する始点とし、前記他の色版における各前記相対位置をそれぞれの終点とする各ベクトルを用いて同時に表現した前記位置表現画像を作成する
ことを特徴とする画像評価装置。
【請求項２】
請求項１記載の画像評価装置において、
前記位置表現画像作成部は、各前記相対位置の実際のサイズを表す目盛画像を含む前記位置表現画像を作成することを特徴とする画像評価装置。
【請求項３】
請求項２記載の画像評価装置において、
前記位置表現画像作成部は、ミスレジストレーションの最大許容値を示す円状の目盛線を、前記目盛画像として含む前記位置表現画像を作成することを特徴とする画像評価装置。
【請求項４】
請求項１〜３のいずれか１項に記載の画像評価装置において、
前記位置表現画像作成部は、各前記色版に対応する色を用いて各前記相対位置を表現した前記位置表現画像を作成することを特徴とする画像評価装置。
【請求項５】
請求項１〜４のいずれか１項に記載の画像評価装置において、
前記位置表現画像作成部により作成された前記位置表現画像を表示する表示部をさらに有することを特徴とする画像評価装置。
【請求項６】
複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出する算出ステップと、
算出された各前記相対位置を所定の二次元位置座標上に表現した位置表現画像を作成する作成ステップと
をコンピュータに実行させ、
前記作成ステップでは、前記一の色版における画像形成位置を共通する始点とし、前記他の色版における各前記相対位置をそれぞれの終点とする各ベクトルを用いて同時に表現した前記位置表現画像を作成する
ことを特徴とする画像評価方法。
【請求項７】
コンピュータを、
複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出する相対位置算出部、
前記相対位置算出部により算出された各前記相対位置を所定の二次元位置座標上に表現した位置表現画像を作成する位置表現画像作成部
として機能させ、
前記位置表現画像作成部は、前記一の色版における画像形成位置を共通する始点とし、前記他の色版における各前記相対位置をそれぞれの終点とする各ベクトルを用いて同時に表現した前記位置表現画像を作成する
ことを特徴とするプログラム。
【発明の詳細な説明】
【技術分野】
【０００１】
この発明は、複数の色版で構成される画像におけるミスレジストレーションの発生程度を評価する画像評価装置、画像評価方法及びプログラムに関する。
【背景技術】
【０００２】
従来から、複数の色版間における相対的な位置ずれ（いわゆる、ミスレジストレーション）に起因する画像不良を防止するため、実際に印字されたレジストレーション・マークの位置のずれ量を計測し、このずれ量に基づいて各色版の位置を調整する方法が種々提案されている。
【０００３】
特許文献１では、所定の間隔を有して平行に配置されてなるチャートと、該チャートをデジタル画像として読み取り、レジストレーションのずれ量を計測する装置及び方法が提案されている。そして、各色版のずれ量を可視化する一形態として、ライン番号（位置）に対する各色版のラインのずれ量を示すグラフをモニタ画面に表示している（特許文献１の段落［００５４］〜［００５６］、図６を参照）。
【先行技術文献】
【特許文献】
【０００４】
【特許文献１】特開２００４−２８６６８４号公報
【発明の概要】
【発明が解決しようとする課題】
【０００５】
ところで、ミスレジストレーションは、一次元的なずれ量ではなく、二次元的なずれ量として検出される場合が多い。また、一部の色版のみ傾いて配置されることで、記録媒体上の位置に応じてミスレジストレーションの発生程度が異なっている場合がある。
【０００６】
しかしながら、特許文献１に記載された表示形態では、所定方向に沿った一次元的なずれ量を表現できるにすぎず、作業者は、どの色版が、どの向きに、どの量だけずれているのかを感覚的に理解できないという課題があった。
【０００７】
本発明は上記した問題を解決するためになされたもので、ミスレジストレーションの発生程度を一見して把握可能である画像評価装置、画像評価方法及びプログラムを提供することを目的とする。
【課題を解決するための手段】
【０００８】
本発明に係る画像評価装置は、複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出する相対位置算出部と、前記相対位置算出部により算出された各前記相対位置を所定の二次元位置座標上に表現した位置表現画像を作成する位置表現画像作成部とを有することを特徴とする。
【０００９】
このように、一の色版における画像形成位置と他の色版における画像形成位置との間の二次元的な相対位置を所定の二次元位置座標上に表現した位置表現画像を作成する位置表現画像作成部を設けたので、作業者は、どの色版が、どの向きに、どの量だけずれているのかを感覚的に理解可能になり、ミスレジストレーションの発生程度を一見して把握できる。
【００１０】
また、前記位置表現画像作成部は、前記一の色版における画像形成位置を共通する始点とし、前記他の色版における各前記相対位置をそれぞれの終点とする各ベクトルで表現した前記位置表現画像を作成することが好ましい。これにより、作業者は、各ベクトルの大きさ及び向きを手掛かりにして、各色版のずれ量の相対関係を一層感覚的に把握できる。
【００１１】
また、前記位置表現画像作成部は、前記一の色版における画像形成位置及び前記他の色版における各前記相対位置を枠線でそれぞれ表現した前記位置表現画像を作成することが好ましい。これにより、作業者は、各枠線の交差角度や頂点位置等を手掛かりにして、記録媒体全体における各色版のずれ量の相対関係を容易に把握できる。
【００１２】
さらに、前記位置表現画像作成部は、前記枠線のうちの所定箇所と残余の箇所との間のサイズ比を異ならせた前記位置表現画像を作成することが好ましい。
【００１３】
さらに、前記位置表現画像作成部は、各前記色版に対応する色を用いて各前記相対位置を表現した前記位置表現画像を作成することが好ましい。
【００１４】
さらに、前記位置表現画像作成部は、各前記相対位置の実際のサイズを表す目盛画像を含む前記位置表現画像を作成することが好ましい。
【００１５】
さらに、前記位置表現画像作成部により作成された前記位置表現画像を表示する表示部をさらに有することが好ましい。
【００１６】
本発明に係る画像評価方法は、複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出するステップと、算出された各前記相対位置を所定の二次元位置座標上に表現した位置表現画像を作成するステップとを備えることを特徴とする。
【００１７】
本発明に係るプログラムは、コンピュータを、複数の色版で構成されるレジストレーション・マークの既知の位置情報と、画像として記録媒体上に実際に形成された前記レジストレーション・マークの位置情報とに基づいて、前記複数の色版のうちの一の色版における画像形成位置と他の色版における画像形成位置との間の二次元的な相対位置をそれぞれ算出する相対位置算出部、前記相対位置算出部により算出された各前記相対位置を所定の二次元位置座標上に表現した位置表現画像を作成する位置表現画像作成部として機能させることを特徴とする。
【発明の効果】
【００１８】
本発明に係る画像評価装置、画像評価方法及びプログラムによれば、一の色版における画像形成位置と他の色版における画像形成位置との間の二次元的な相対位置を所定の二次元位置座標上に表現した位置表現画像を作成するようにしたので、作業者は、どの色版が、どの向きに、どの量だけずれているのかを感覚的に理解可能になり、ミスレジストレーションの発生程度を一見して把握できる。
【図面の簡単な説明】
【００１９】
【図１】本実施の形態に係る画像評価装置を組み込んだ印刷物生産システムの概略構成図である。
【図２】図１に示す画像評価装置の電気的なブロック図である。
【図３】図１及び図２に示す画像評価装置の動作説明に供されるフローチャートである。
【図４】図４Ａは、図１に示すチャートの正面図である。図４Ｂは、図４Ａのチャートの部分拡大図である。
【図５】レジストレーションのずれ量の算出方法に関する概略説明図である。
【図６】結果画面の一例を表す第１画像図である。
【図７】結果画面の一例を表す第２画像図である。
【発明を実施するための形態】
【００２０】
以下、本発明に係る画像評価方法について、それを実施する画像評価装置との関係において好適な実施形態を挙げ、添付の図面を参照しながら説明する。本明細書において、画像を形成することを「印刷」という場合がある。
【００２１】
図１は、本実施の形態に係る画像評価装置３６を組み込んだ印刷物生産システム１０の概略構成図である。
【００２２】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ端末１８と、ＤＴＰ端末１８により作成された校正データ（又は製版データ）に基づいてラスタライズ処理や色変換処理等の各画像処理を実行するＲＩＰ装置２０と、ＲＩＰ装置２０から送信された処理済みの校正データに基づいてプルーフ２２を印刷可能である校正機２４と、ＲＩＰ装置２０から送信された製版データに基づいて刷版２６を作製するプレートセッタ２８と、刷版２６を装着して印刷物３０｛レジストレーションチャート（以下、チャート３０ｃ）を含む。｝を印刷可能であるオフセット印刷機３２と、スキャナ装置３４を介して読み取られた画像データに基づいてチャート３０ｃの像構造を評価する画像評価装置３６がそれぞれ設けられている。
【００２３】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３８を介して、ＤＴＰ端末１８、ＲＩＰ装置２０、プレートセッタ２８及び画像評価装置３６に通信可能に接続されている。
【００２４】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。
【００２５】
ＤＴＰ端末１８は、文字、図形、絵柄や写真等から構成されるコンテンツデータに対してプリフライト処理を施した後、ページ単位の編集データを作成する。また、ＤＴＰ端末１８は、ジョブチケットのタグ情報を参照しながら、指定された綴じ方法や紙折り方法に応じた面付け処理を行う。
【００２６】
ＲＩＰ装置２０は、少なくとも１つの印刷機に対する印刷処理サーバとして機能する。図１例では、ＲＩＰ装置２０は、校正機２４と、プレートセッタ２８とに通信可能に接続されている。この場合、ＲＩＰ装置２０は、ページ記述言語で記述された校正データ（又は製版データ）を各印刷機に適した印刷データに変換し、該印刷データを校正機２４（又はプレートセッタ２８）に供給する。
【００２７】
校正機２４は、ＲＩＰ装置２０から供給された印刷データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００２８】
オフセット印刷機３２は、刷版２６及び図示しない中間転写体を介して、インキを被印刷体（記録媒体）上に付着させることで、印刷物３０を形成する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。
【００２９】
図２は、図１に示す画像評価装置３６の電気的なブロック図である。
【００３０】
画像評価装置３６は、制御部５０と、通信Ｉ／Ｆ５２と、表示制御部５４と、表示部５６と、入力部５８と、画像入力Ｉ／Ｆ６０と、メモリ６２とを備える。
【００３１】
通信Ｉ／Ｆ５２は、外部装置からの電気信号を送受信するインターフェースである。例えば、サーバ装置１６（図１参照）内で管理・保存された校正データ、製版データ、印刷条件データベース、ＩＣＣプロファイル等の各種情報を取得可能である。
【００３２】
表示制御部５４は、制御部５０の制御に従って、表示部５６を駆動制御する制御回路である。表示制御部５４が、図示しないＩ／Ｆを介して、表示制御信号を表示部５６に出力することで、表示部５６が駆動する。これにより、表示部５６は、ウィンドウＷ（図６及び図７参照）を含む各種画像を表示することができる。
【００３３】
入力部５８は、マウス、トラックボール、キーボード等の種々の入力デバイスで構成される。上記した表示部５６の表示機能と、入力部５８の入力機能とを併せて用いることで、ユーザ・インターフェースを実現する。
【００３４】
画像入力Ｉ／Ｆ６０は、スキャナ装置３４から読み取られた画像データを受信するインターフェースである。なお、スキャナ装置３４は、例えば、反射原稿の読み取りに供されるフラットベッドスキャナ、透過原稿の読み取りに供されるフイルムスキャナであってもよい。
【００３５】
メモリ６２は、制御部５０が各構成要素を制御するのに必要なプログラム及びデータ等を記憶している。メモリ６２は、不揮発性のメモリ、ハードディスク等の記憶媒体であってよい。
【００３６】
制御部５０は、ＣＰＵ（Central Processing Unit）等のプロセッサによって構成されている。制御部５０は、メモリ６２に格納されたプログラムを読み出し実行することで、画像解析部６４及び表示データ作成部６６の各機能を実現可能である。
【００３７】
画像解析部６４は、チャート３０ｃを表す画像データに対して公知の画像処理演算を施すことで、ミスレジストレーションの発生程度を解析する。具体的に、画像解析部６４は、画像領域内におけるレジストレーション・マーク８２（図４Ａ参照）の絶対位置を算出する絶対位置算出部６８と、一の色版（例えば、Ｋ版）における画像形成位置と他の色版（例えば、Ｃ版、Ｍ版、Ｙ版）における画像形成位置との間の二次元的な相対位置をそれぞれ算出する相対位置算出部７０とを備える。
【００３８】
表示データ作成部６６は、相対位置算出部７０により算出された各相対位置を所定の二次元位置座標上に表現した画像（以下、位置表現画像という。）を作成する位置表現画像作成部７２と、表示対象である結果画面１００（図６参照）及び結果画面１３０（図７参照）を作成する画面作成部７４とを備える。
【００３９】
本実施の形態に係る画像評価装置３６は、以上のように構成される。続いて、画像評価装置３６の動作について図３のフローチャートを参照しながら詳細に説明する。
【００４０】
ステップＳ１において、オフセット印刷機３２を用いて、チャート３０ｃを印刷する。以下、主にＣＭＹＫ（４つの色版）を中心に説明するが、これに限定されることなく、任意の色版の種類及び版数に設計変更できる。例えば、ＣＭＹＫの標準インクと、ＬＣ（ライトシアン）、ＬＭ（ライトマゼンタ）等の淡色やＷ（白色）等のオプションインクとを組み合わせてもよい。
【００４１】
図４Ａは図１に示すチャート３０ｃの正面図であり、図４Ｂは図４Ａのチャート３０ｃの部分拡大図（具体的には、左上隅部の拡大図）である。
【００４２】
図４Ａに示すように、記録媒体としての用紙８０上には、９組のレジストレーション・マーク８２が形成されている。各組のレジストレーション・マーク８２は、用紙８０の４つの隅部の位置、隣接する各隅部の間の位置、及び中央位置の９箇所に配されている。レジストレーション・マーク８２はいずれも、３個の十字状マーク（以下、単位マーク８４Ｒ、８４Ｓ、８４Ｔ）で構成されている。
【００４３】
図４Ｂに示す単位マーク８４Ｒ、８４Ｓ、８４Ｔのうち、Ｃ色単独で形成された画像領域は、網点で表記されている。Ｍ色単独で形成された画像領域は、ダブルハッチングで表記されている。Ｙ色単独で形成された画像領域は、シングルハッチングで表記されている。Ｋ色単独で形成された画像領域は、黒色の塗り潰しで表記されている。
【００４４】
単位マーク８４Ｒは、十字状のＫ色のマーク要素８６ｋと、矩形状のＹ色のマーク要素８８ｙ、９０ｙと、矩形状のＭ色のマーク要素９２ｍ、９４ｍとから構成されている。単位マーク８４Ｓは、十字状のＣ色のマーク要素８６ｃと、矩形状のＫ色のマーク要素８８ｋ、９０ｋ、矩形状のＹ色のマーク要素９２ｙ、９４ｙとから構成されている。さらに、単位マーク８４Ｔは、十字状のＭ色のマーク要素８６ｍと、矩形状のＹ色のマーク要素８８ｙ、９０ｙと、矩形状のＣ色のマーク要素９２ｃ、９４ｃとから構成されている。
【００４５】
なお、レジストレーション・マークは、図４Ａ例及び図４Ｂ例に限られることなく、ミスレジストレーションの発生程度が計測可能な描画パターンであれば形態は問わない。
【００４６】
ステップＳ２において、画像評価装置３６は、チャート３０ｃを表す画像データを取得する。具体的には、スキャナ装置３４は、所定の状態下にセットされたチャート３０ｃの画像を読み取り、得た画像データを画像評価装置３６側に供給する。そして、画像評価装置３６の制御部５０は、画像入力Ｉ／Ｆ６０を介してこの画像データを入力し、メモリ６２に一時的に記憶させる。なお、画像データを取得する具体的手段及び経路については、この実施形態に限られないことは言うまでもない。例えば、図示しない別のスキャナ装置を介してサーバ装置１６に一時的に保存しておき、画像評価装置３６は、ルータ１４、ＬＡＮ３８及び通信Ｉ／Ｆ５２を介して、サーバ装置１６から画像データを取得してもよい。
【００４７】
ステップＳ３において、絶対位置算出部６８は、ステップＳ２で取得した画像データから、その画像領域内における各組のレジストレーション・マーク８２（図４Ａ参照）の絶対位置をそれぞれ算出する。なお、レジストレーション・マーク８２に関する各種情報は、例えばメモリ６２に予め記憶されており、各単位マーク８４Ｒ、８４Ｓ、８４Ｔについての理想的な形状及び色彩はいずれも既知である。これにより、絶対位置算出部６８は、公知の画像解析手法を用いて各絶対位置を算出できる。
【００４８】
図５は、レジストレーションのずれ量の算出方法に関する概略説明図である。本図は、図４Ｂに示すレジストレーション・マーク８２のうち、１つの単位マーク８４Ｒについての実際の描画例を表している。ミスレジストレーションが生じない場合、理想的には、図４Ｂに示す完全な十字状のマークが形成される。しかし、各色版の画像形成位置が相対的にずれている場合、単位マーク８４Ｒは本図に示すように形成される。説明の便宜のため、本図では、各マーク要素８６ｋ、８８ｙ、９０ｙ、９２ｍ、９４ｍの輪郭のみを表記している。
【００４９】
例えば、絶対位置算出部６８は、公知のアルゴリズムを用いて、マークの構成要素である各線素の中心軸の位置を特定し、その位置をもって画像形成位置（座標）として算出する。すなわち、絶対位置算出部６８は、マーク要素８６ｋ、８８ｙ、９２ｍの縦線の位置（Ｘ座標）をそれぞれ算出するとともに、マーク要素８６ｋ、９０ｙ、９４ｍの横線の位置（Ｙ座標）をそれぞれ算出する。
【００５０】
ステップＳ４において、相対位置算出部７０は、ステップＳ３で算出された各絶対位置を用いて、各色版の相対位置をそれぞれ算出する。ここで、各マーク要素８６ｋ、８８ｙ、９０ｙ、９２ｍ、９４ｍについての位置情報及び色彩はいずれも既知である。これにより、相対位置算出部７０は、既知の位置情報（相対的な位置関係）を参照することで、各色版間における相対位置をそれぞれ算出できる。
【００５１】
具体的には、マーク要素８８ｙのＸ座標からマーク要素８６ｋ（縦線）のＸ座標を減算することで、Ｋ版に対するＹ版の相対位置（Ｘ軸成分Ｐｋｙ；正方向）を求めることができる。また、マーク要素９０ｙのＹ座標からマーク要素８６ｋ（横線）のＹ座標を減算することで、Ｋ版に対するＹ版の相対位置（Ｙ軸成分Ｑｋｙ；負方向）を求めることができる。同様に、マーク要素９２ｍ、９４ｍとの関係から、Ｋ版に対するＭ版の相対位置、すなわちＸ軸成分Ｐｋｍ、Ｙ軸成分Ｑｋｍを求めることができる。
【００５２】
このように、相対位置算出部７０は、単位マーク８４Ｒの他、単位マーク８４Ｓ、８４Ｔに関しても上記と同様の演算を実行することで、Ｋ版における画像形成位置と他のＣ版、Ｍ版、Ｙ版における画像形成位置との間の相対位置を算出する。
【００５３】
ステップＳ５において、位置表現画像作成部７２は、ステップＳ４で算出された各相対位置を用いて、位置表現画像１０４（図６参照）を作成する。なお、位置表現画像１０４を可視化した具体的形態については後述する。
【００５４】
ステップＳ６において、表示制御部５４は、ウィンドウＷ（結果画面１００を含む。）を表示部５６に表示させる。この表示に先立ち、画面作成部７４は、位置表現画像１０４を組み込んだ結果画面１００の表示データを作成した後、該表示データを表示制御部５４に供給する。
【００５５】
図６に示すように、結果画面１００には、チャート３０ｃの平面視形態を模擬した模擬画像１０２、位置表現画像作成部７２により作成された位置表現画像１０４、［モード変更］と表記されたボタン１０６、及び［閉じる］と表記されたボタン１０８がそれぞれ配置されている。ここで、［閉じる］ボタン１０８のクリック操作を受け付けると、ウィンドウＷは閉じられて非表示になる。
【００５６】
模擬画像１０２は、用紙８０（図４Ａ参照）の形状を表す矩形画像１１０と、レジストレーション・マーク８２の各位置を模式的に表す９個の円画像１１２とから構成される。
【００５７】
本図から諒解されるように、所定の円画像１１２（矩形画像１１０内の左上側）により囲まれた領域内にはハッチングが付されている。この表示形態は、「左上位置」が現在選択されていることを示唆する。この場合、位置表現画像１０４は、選択された「左上位置」におけるミスレジストレーションの発生程度を可視化している。
【００５８】
位置表現画像１０４は、二次元の位置座標を表す十字線１１４と、３つの矢印画像１１６ｃ、１１６ｍ、１１６ｙと、２つの同心円状の目盛線１１８、１２０（目盛画像）とから構成される。ここで、十字線１１４の交点１２２は、Ｋ版の画像形成位置を示している。そして、矢印画像１１６ｃ、１１６ｍ、１１６ｙは、Ｋ版に対するＣ版、Ｍ版、Ｙ版の相対位置をそれぞれ示している。すなわち、位置表現画像１０４において、レジストレーションの発生程度は、Ｋ版における画像形成位置を共通する始点とし、Ｃ版、Ｍ版、Ｙ版における各相対位置をそれぞれの終点とする各ベクトルで表現されている。これにより、作業者は、各ベクトルの大きさ及び向きを手掛かりにして、各色版のずれ量の相対関係を一層感覚的に把握できる。しかも、各始点の位置を相互に比較することで、Ｋ版を除く各色版（例えば、Ｃ版及びＭ版）の間での相対位置も把握できる。
【００５９】
また、実際に画像が形成される各色版に対応する色を用いて各矢印画像１１６ｃ、１１６ｍ、１１６ｙを表示することで、作業者による識別性・認識性がさらに向上する。ここで、各色版に対応する色とは、例えば、各種表色系において色の傾向が合致した色（例えば、彩度が同一の又は近い色）である。
【００６０】
各目盛線１１８の近傍に「５０」の数字が付されるとともに、各目盛線１２０の近傍に「１００」の数字が付されている。この数字は、［μｍ］を長さの単位とする、各相対位置の実際のサイズに対応する。これにより、作業者は、矢印の先端部と目盛線１１８、１２０との位置関係を手掛かりにして、各色版の実際のずれ量を一見して把握できる。また、位置表現画像１０４は、ミスレジストレーションの最大許容値を明示又は暗示する形態を有してもよい。本図例では、最外円である目盛線１２０の位置を上記した最大許容値に対応させている。
【００６１】
ところで、［モード変更］ボタン１０６のクリック操作に応じて、位置表現画像作成部７２は、位置表現画像１０４の形態と異なる新たな位置表現画像１３２を作成する。そして、画面作成部７４は、位置表現画像１３２を組み込んだ結果画面１３０の表示データを作成し、該表示データを表示制御部５４に供給する。これにより、表示部５６に表示される画像は、現時点での結果画面１００から新たな結果画面１３０に遷移される。
【００６２】
図７に示すように、結果画面１３０には、位置表現画像作成部７２により作成された位置表現画像１３２、２つのラジオボタン１３４と、３つのチェックボックス１３６と、［モード変更］と表記されたボタン１０６、及び［閉じる］と表記されたボタン１０８がそれぞれ配置されている。なお、［モード変更］ボタン１０６のクリック操作に応じて、ウィンドウＷの表示形態は、図６に示す結果画面１００に戻る。
【００６３】
位置表現画像１３２は、用紙８０（図４Ａ参照）の形状を表す矩形画像１１０と、Ｋ色の枠画像１３８（太線で表記する。）と、Ｃ色の枠画像１４０と、レジストレーション・マーク８２の各形成位置を表す８個の円画像１４２とから構成される。ここで、枠画像１３８は、Ｋ版の画像形成位置の軌跡を示している。本図例では、枠画像１３８は、矩形画像１１０を構成する矩形に相似する、完全な矩形状の枠線で構成されており、矩形画像１１０の領域内に同じ向きに配置されている。
【００６４】
一方、枠画像１４０は、上記したＫ版での軌跡に対応する、Ｃ版の画像形成位置の軌跡を示している。仮にＣ版の画像形成位置に歪みが生じている場合、枠画像１４０は、本図に示すように、理想的な矩形に対して僅かに歪んだ形状の枠線で構成される。すなわち、位置表現画像１３２において、レジストレーションの発生程度は、Ｋ版における画像形成位置、及び、Ｃ版、Ｍ版、Ｙ版における各相対位置を枠線でそれぞれ表現されている。これにより、作業者は、各枠線の交差角度や頂点位置等を手掛かりにして、用紙８０全体における各色版のずれ量の相対関係を容易に把握できる。
【００６５】
なお、実際のずれ量は最大でも１ｍｍ程度であるので、チャート３０ｃの実寸比で位置表現画像１３２を作成しても、ずれ量を画像上で視認することは困難である。そこで、円画像１４２内の線図を部分的に拡大／縮小する等の画像処理手段を用いて、各色版での相対位置を強調・誇張して表示させてもよい。この場合、位置表現画像作成部７２は、枠線（枠画像１３８、１４０）のうちの所定箇所（円画像１４２）と残余の箇所との間のサイズ比を異ならせた位置表現画像１３２を作成する。これにより、用紙８０全体のみならず、８つの注目箇所における各色版のずれ量の相対関係を同時に把握できる。また、位置表現画像１３２の下方に配されたアイコン１４４のクリック操作に応じて、円画像１４２の領域内の画像倍率を指定可能にしてもよい。
【００６６】
また、ラジオボタン１３４の「ＯＮ」「ＯＦＦ」の選択操作に伴い、円画像１４２が表示され、あるいは非表示になる。また、チェックボックス１３６の「チェック」「解除」の操作に伴い、評価対象の色版（ここでは、Ｋ版以外の色版）の枠画像１４０の表示／非表示をそれぞれ独立して選択できる。
【００６７】
ステップＳ７において、作業者は、チャート３０ｃのレジストレーションは許容範囲内であるか否かを判別する。許容範囲内であると判別された場合、作業者は、オフセット印刷機３２を用いた本番印刷の工程を開始する。一方、許容範囲内でないと判別された場合、次のステップ（Ｓ８）に進む。
【００６８】
ステップＳ８において、作業者は、画像評価装置３６により得た画像情報を参照しながら、各色版の位置調整を行う。調整作業が完了した後にステップＳ１に戻って、以下、レジストレーションが許容範囲内に収まるまでステップＳ１〜Ｓ８を順次繰り返す。
【００６９】
以上のように、複数の色版（Ｃ版、Ｍ版、Ｙ版、Ｋ版）で構成されるレジストレーション・マーク８２の既知の位置情報と、画像として用紙８０上に実際に形成されたレジストレーション・マーク８２の位置情報とに基づいて、複数の色版のうちの一の色版（Ｋ版）における画像形成位置と他の色版（Ｃ版、Ｍ版、Ｙ版）における画像形成位置との間の二次元的な相対位置をそれぞれ算出する相対位置算出部７０と、算出された各相対位置を所定の二次元位置座標上に表現した位置表現画像１０４、１３２を作成する位置表現画像作成部７２とを設けたので、作業者は、どの色版が、どの向きに、どの量だけずれているのかを感覚的に理解可能になり、ミスレジストレーションの発生程度を一見して把握できる。
【００７０】
なお、この発明は、上述した実施形態に限定されるものではなく、この発明の主旨を逸脱しない範囲で自由に変更できることは勿論である。
【符号の説明】
【００７１】
１０…印刷物生産システム                  ３０…印刷物
３０ｃ…チャート                          ３２…オフセット印刷機
３４…スキャナ装置                        ３６…画像評価装置
５０…制御部                              ５６…表示部
６２…メモリ                              ６８…絶対位置算出部
７０…相対位置算出部                      ７２…位置表現画像作成部
８０…用紙                                ８２…レジストレーション・マーク
８４Ｒ、８４Ｓ、８４Ｔ…単位マーク        １００、１３０…結果画面
１０４、１３２…位置表現画像              １１２、１４２…円画像
１１６ｃ、１１６ｍ、１１６ｙ…矢印画像    １１８、１２０…目盛線
１３８、１４０…枠画像
【図１】
0005587921.tif 000002
【図２】
0005587921.tif 000003
【図３】
0005587921.tif 000004
【図４】
0005587921.tif 000005
【図５】
0005587921.tif 000006
【図６】
0005587921.tif 000007
【図７】
0005587921.tif 000008